Podtech/llm-jp-corpus-v4-ja_patent huggingface dataset:
(57)【要約】【課題】梱包が容易であって、輸送中に落としても中のガラス瓶が割れにくい包装箱を提供する。【解決手段】包装箱１０は、箱の上縁の対向する二辺に、互に協働して箱の上部開口１１を塞ぐ裏蓋１２を延設する。また、他の対向する二辺には先端部が突き合う格好で裏蓋１２の上に重なる表蓋１３を延設する。各裏蓋には先端から途中まで縦にスリット１４を形成する。各表蓋１３の先端中央部にはこのスリット１４の中を通って箱の中に挿入される、表蓋より幅の小さな舌片１５を延設する。包装箱１０に瓶Ａを収めた後、穴明き板３０を瓶の首に通す。次いで、両裏蓋１２を閉じ、裏蓋のスリット１４に舌片１５を押し込むようにして両表蓋を閉じる。舌片１５は、先端が穴明き板３０に届くだけの長さを有している。最後に、表蓋に粘着テープを貼って蓋が開かないようにする。【選択図】        図３
2004217248.tif 000002
【特許請求の範囲】
【請求項１】
箱の上縁の対向する二辺に、互に協働して箱の上部開口を塞ぐ裏蓋を、他の対向する二辺には先端部が突き合う格好で該裏蓋の上に重なる表蓋をそれぞれ延設し、各裏蓋には先端から途中まで縦にスリットを形成し、各表蓋の先端中央部に、該スリットの中を通って箱の中に挿入される、該表板より幅の小さな舌片を延設し、この舌片の先端が、箱の中に立てた状態で詰められた複数本の瓶の首に掛けられた一枚の穴明き板を上から抑え付けるように構成した瓶用包装箱。
【発明の詳細な説明】
【０００１】
【発明の属する技術分野】
この発明は、酒瓶などを入れる包装箱に関する。
【０００２】
【従来の技術】
宅配便を使って顧客に酒等を送り届ける場合、従来は、酒瓶にシート状のクッションをぐるぐる巻き付けて包装箱に入れるようにして、輸送中の衝撃から瓶を保護していた。しかしこのような方法では、荷造りに大変手間がかかる。また、このようにしても、強い衝撃が加わった場合、例えば、箱を床に落としたような場合には、破瓶を防ぐことが難しかった。
【０００３】
【発明が解決しようとする課題】
この発明は、梱包が容易であって、輸送中に落としても中のガラス瓶が割れにくい包装箱を提供することを課題とする。
【０００４】
【課題を解決するための手段】
この発明の包装箱は、箱の上縁の対向する二辺に、互に協働して箱の上部開口を塞ぐ裏蓋を、他の対向する二辺には先端部が突き合う格好で裏蓋の上に重なる表蓋をそれぞれ延設する。各裏蓋には先端から途中まで縦にスリットを形成する。各表蓋の先端中央部には、このスリットの中を通って箱の中に挿入される、表板本体より幅の小さな舌片をさらに延設する。この舌片の先端が、箱の中に立てた状態で詰められた複数本の瓶の首に掛けられた一枚の穴明き板を上から抑え付けるように構成したものである。
【０００５】
この箱では、表蓋から延びる舌片が穴明き板を上から抑え付けており、衝撃を受けても穴明き板が浮き上がりにくい。したがって、箱を逆さまに落としたような場合、穴明き板が瓶をしっかり抑え付け、瓶の頭が蓋（裏蓋と表蓋）に激突するのを防止して、破瓶のおそれを軽減することができる。また、水平方向の衝撃を受けた場合にも、穴明き板が浮き上がらないので、瓶が揺動しにくく、破瓶事故を少なくすることができる。
【０００６】
【発明の実施の形態】
図１において、符号１０はダンボール製の包装箱であり、３５０ミリリットル入りの酒瓶Ａが６本入る。符号２０は底部緩衝材、符号３０は穴明き板（首抑え）である。
【０００７】
底部緩衝材２０は、図４に示すように、上下にスリット２２を入れて櫛状に形成したダンボール製の紙片２１を８枚、スリット同士を噛み合わせるようにして、格子状に組み合わせたものである。紙片２１は高さの小さいものと大きいものを交互に配置し、高さの小さい紙片２１ａ同士が瓶Ａが載るすのこを形成する。そして、高さの大きい紙片２１ｂ同士がガラス瓶相互を隔てる仕切りを形成する。
【０００８】
穴明き板３０はダンボール製の板に瓶の首が通る穴３１を瓶の数だけ穿設したものである。穴３１の大きさは、図３に示すように、瓶の肩に引っかかるような大きさにする。符号３２は、穴明き板を外すときに指を入れる穴である。
【０００９】
包装箱１０は、箱の上縁の対向する二辺に、互に協働して箱の上部開口１１を塞ぐ裏蓋１２を延設する。また、他の対向する二辺には先端部が突き合う格好で裏蓋１２の上に重なる表蓋１３を延設する。各裏蓋には先端から途中まで縦にスリット１４を形成する。各表蓋１３の先端中央部にはこのスリット１４の中を通って箱の中に挿入される、表蓋より幅の小さな舌片１５を延設する。表蓋１３と舌片１５の境には折り目１５ａを入れておく。
【００１０】
包装箱１０に瓶Ａを詰めるときは、組み立てた底部緩衝材２０を箱の中に入れ、仕切り２１ｂで区画される６つの区画に、それぞれ瓶Ａを収める。次いで、穴明き板３０を瓶の首に通す。次いで、箱の開口１１を閉じるのであるが、まず、両裏蓋１２を閉じ、裏蓋のスリット１４に舌片１５を押し込むようにして両表蓋を閉じる（図２）。最後に、表蓋に粘着テープを貼て蓋が開かないようにする。
【００１１】
図３は包装箱に瓶を詰めた状態の断面図であり、同図に示されるように、表蓋から延びる舌片１５は、先端が穴明き板３０に届くだけの長さを有している。
【００１２】
この箱では、表蓋１３から延びる舌片１５が、穴明き板３０を上から抑え付けているので、落下時に穴明き板が浮き上がりにくく、いつも、所定の位置を保つ。したがって、箱を横にして落としたりして瓶に大きな横向きの衝撃が加わった場合、穴明き板がしっかりと瓶の首を抑えているので、瓶が揺動しにくく、瓶頭が箱の側壁に打ち当たるのを防止できる。また、箱を逆さまに落とした場合、穴明き板は瓶をしっかりと抑え付け、瓶頭が蓋に激突するのを防止することができる。
【図面の簡単な説明】
【図１】瓶を詰める状態の包装箱の斜視図である。
【図２】蓋を閉じる状態の包装箱の斜視図である。
【図３】瓶を詰めた包装箱の断面図である。
【図４】底部緩衝材の分解斜視図である。
【符号の説明】
Ａ  瓶
１０  包装箱
１１  開口
１２  裏蓋
１３  表蓋
１４  スリット
１５  舌片
３０  穴明き板
【図１】
2004217248.tif 000003
【図２】
2004217248.tif 000004
【図３】
2004217248.tif 000005
【図４】
2004217248.tif 000006
(57)【要約】【課題】本発明は、システアミン系毛髪加工剤を使用するにあたり、使用後の不快臭を抑制することができる処理剤を提供することが目的である。【解決手段】アルデヒド基を持つ化合物又はカルボキシル基を持つ高分子化合物により上記課題を解決できる。【選択図】なし【特許請求の範囲】
【請求項１】
アルデヒド基を持つ化合物を含有するシステアミン系毛髪加工剤用の処理剤。
【請求項２】
カルボキシル基を持つ高分子化合物を含有するシステアミン系毛髪加工剤用の処理剤。
【発明の詳細な説明】
【０００１】
【従来技術】
パーマネントウェーブのような毛髪加工を行うに当たっては、種々の毛髪加工剤が用いられている。中でもシステアミン系毛髪加工剤は、チオグリコール酸、システインなどの毛髪加工剤に比べてウェーブ形成力及び縮毛矯正力が強く、使用中における臭いも少ないという利点がある。しかしこの優れた毛髪加工剤には、使用後数週間にわたって、洗髪や入浴時に不快臭が発生するという欠点があった。
その原因の一つとして、システアミンやその酸化物のシスタミンが毛髪中に吸着残存していて、洗髪時や入浴時に脱着揮発することが推定される。
【０００２】
しかし、前記のように毛髪に吸着した物質は、アニオン、カチオン、両性、ノニオン系界面活性剤を含むシャンプーやリンスなどで洗浄しても容易に除去することはできない。そのため、この使用後の不快臭を抑制できる処理剤が求められていた。
【０００３】
特開平３−２７１２１４では、毛髪加工後の処理剤としてクエン酸やリンゴ酸のような低分子有機酸が使用されているが、使用後の不快臭を完全には抑制できなかった。
【０００４】
【発明が解決しようとする課題】
本発明は、システアミン系毛髪加工剤を使用するにあたり、使用後の不快臭を抑制することができる処理剤を提供することが目的である。
【０００５】
【課題を解決するための手段】
本発明によれば、臭気成分であるシステアミン、シスタミンのアミノ基と反応する官能基を持った化合物を配合した処理剤を使用することにより、臭気成分の分子量をアップさせて揮発を抑制できる。それにより、使用後の不快臭を抑制することができる。
【０００６】
アミノ基と反応する官能基としては、安全性、反応性などの面から考えてアルデヒド基、カルボキシル基が特に好ましい。
【０００７】
アルデヒド基を持つ化合物としては、マスキング効果が期待できる芳香性のあるものが好ましく、例えばヘプタナール、オクタナール、ノナナール、デカナール、ウンデカナール、ドデカナール、２−メチルウンデカナール、トリデカナール、テトラデカナール、ヘキサデカナール、ｔｒａｎｓ−２−ヘキセナール、２，６−ノナジエナール、シトラール、シトロネラール、ヒドロキシシトロネラール、ペリラアルデヒド、シトロネリルオキシアセトアルデヒド、リラール、シネンサール、ベンズアルデヒド、フェニルアセトアルデヒド、３−フェニルプロピオンアルデヒド、シンナムアルデヒド、α−アミルシンナムアルデヒド、α−ヘキシルシンナムアルデヒド、アニスアルデヒド、クミンアルデヒド、ヘリオトロピン、シクラメンアルデヒド、ｐ−ｔ−ブチル−α−メチルジヒドロシンナムアルデヒド、バニリン、ブルボナールなどが挙げられ、これらを１種または２種以上を選んで用いることができる。
【０００８】
カルボキシル基を持つ化合物としては、臭気成分の揮発を抑制するということから高分子量のものが好ましく、後記の不飽和カルボン酸を１種、または２種以上共重合したものが挙げられる。不飽和カルボン酸としては、アクリル酸、メタクリル酸、クロトン酸、イソクロトン酸などが挙げられ、ジカルボン酸としては、マレイン酸、フマル酸、イタコン酸、メチルマレイン酸などが挙げられる。
【０００９】
カルボキシル基を持つ化合物の重量平均分子量としては、２００以上のものが好ましく、更には１０００以上のものが好ましい。
【００１０】
使用方法としては、システアミン系毛髪加工剤を第１剤として用いて毛髪を膨潤軟化し、更に酸化剤を主成分とする第２剤により酸化固定をする毛髪加工を行った後に、毛髪に対して本発明の処理剤を塗布処理するのがよい。また、本発明の処理剤を第２剤に配合して使用してもよい。
【００１１】
本発明の処理剤は、前記化合物の含有量が１Ｌあたり１０〜１０００ミリ当量であるのが好ましく、更には１Ｌあたり５０〜５００ミリ当量が好ましい。
【００１２】
【実施例１】
５ｇの羊毛フェルトを毛髪の代わりとして使用した。
前記フェルトを、システアミン６％水溶液に浸漬して１５分間放置し、取り出した後タオルで水分を拭取った。更に、臭素酸ナトリウム６％水溶液に浸漬して１５分間放置し、取り出した後タオルで水分を拭取った。更に、処理剤（アニスアルデヒド１０ミリ当量／Ｌ水溶液）に浸漬して１５分間放置し、取り出した後水洗し、タオルで水分を拭取った。このフェルトの残臭について官能試験を行った。
○：不快臭なし
△：不快臭若干あり
×：不快臭あり
【００１３】
【実施例２】
処理剤として、分子量約８０万のポリアクリル酸１００ミリ当量／Ｌ水溶液を使用した。
【比較例１】
処理剤として、純水を使用した。
【比較例２】
処理剤として、クエン酸（分子量１９２）１００ミリ当量／Ｌ水溶液を使用した。
【００１４】
【表１】
2004217571.tif 000002
※ポリアクリル酸：アクアリックＡＳ−５８（日本触媒製、分子量約８０万）
(57)【要約】【課題】本発明の目的は、積極的に涙液分泌を促進させることによりドライアイに伴う諸症状を改善する点眼用組成物を提供することにある。【解決手段】フェニレフリンおよびフラビンアデニンジヌクレオチドを組み合わせたことを特徴とするドライアイが予防または改善された点眼用組成物。【選択図】  なし【特許請求の範囲】
【請求項１】
フェニレフリンおよびビタミンＢ２類を配合したことを特徴とする点眼用組成物。
【請求項２】
ビタミンＢ２類がフラビンアデニンジヌクレオチドであることを特徴とする請求項１記載の点眼用組成物。
【請求項３】
ドライアイの予防または改善用である請求項１又は２記載の点眼用組成物。
【発明の詳細な説明】
【０００１】
【発明の属する技術分野】
本発明は、涙液分泌減少に伴うドライアイ、目の疲れ、かすみ、かゆみ、さらには結膜充血、眼瞼炎、コンタクトレンズ着用時の不快感の予防または改善するための点眼用組成物に関する。
【０００２】
【従来の技術】
現代社会において、目を酷使する場面が急増している。その疾患要因の一つにドライアイ（乾燥眼）がある。ドライアイとは一般に、涙液の分泌量の低下や涙液の質的変化により、眼球表面の角膜や結膜が障害をうけた状態のことである。正常な眼の表面では、涙はまばたきにより、薄い膜となり、乾燥、ほこり、細菌から眼を守っている。しかし、ドライアイになると、眼の表面を十分に保護できなくなり、角膜や結膜に障害が生じることになる。ドライアイは単に眼が乾くだけでなく、眼の表面を傷つけることからも、様々な眼病に発展する前に早期対策が必要である。
【０００３】
涙液は油層、水層、ムチン層の３層より構成されており、これまでに用いられているドライアイの一般的な治療法としては、水層の補給を目的とした人工涙液の点眼やムチン層の補給を目的として保水効果のあるコンドロイチン硫酸ナトリウム、ヒアルロン酸ナトリウムなどの点眼が行われている。しかし、これらはいずれも本来の涙液分泌を促進させるものではない。
【０００４】
従来、フェニレフリンは血管収縮作用に基づく充血除去を目的に点眼剤に広く配合されてきた。また、フラビンアデニンジヌクレオチド（ＦＡＤと省略できる）については、既にドライアイの治療に有効であることが知られている（特許文献１）。
【特許文献１】
特開平１１−２６３７２９号公報
【０００５】
【発明が解決しようとする課題】
本発明は、積極的に涙液の分泌を促進させることにより、より効果が優れ、かつ安全にドライアイに伴う諸症状を改善する点眼剤組成物を提供することを目的とする。
【０００６】
【課題を解決するための手段】
本発明者らは上記課題を解決するために鋭意検討を行った結果、フェニレフリンとフラビンアデニンジヌクレオチドを組み合わせることにより、相乗的に涙液分泌促進作用を増強することを見出し、本発明を完成した。
【０００７】
すなわち、本発明は、（１）フェニレフリンおよびビタミンＢ２類を配合したことを特徴とする点眼用組成物、（２）ビタミンＢ２類がフラビンアデニンジヌクレオチドであることを特徴とする（１）記載の点眼用組成物、（３）ドライアイの予防または改善用である（１）又は（２）記載の点眼用組成物である。
【０００８】
【発明の実施の形態】
本発明は、涙液分泌減少に伴うドライアイ、目の疲れ、かすみ、かゆみ、さらには結膜充血、眼瞼炎、眼炎、コンタクトレンズ着用時の不快感の予防または改善するために有効である。
【０００９】
本発明に用いるビタミンＢ２類には、フラビンアデニンジヌクレオチドおよびその塩類、リン酸リボフラビンおよびその塩類、酢酸リボフラビン、酪酸リボフラビンなどが挙げられる。これらのうち、好ましくはフラビンアデニンジヌクレオチドが挙げられ、最も好ましくはフラビンアデニンジヌクレオチド・二ナトリウムが挙げられる。フラビンアデニンジヌクレオチドを用いる場合には、液剤全体の０．００５質量％〜５．０質量％の割合で配合することができ、好ましくは０．０１質量％〜１．０質量％であり、さらに好ましくは０．０２質量％〜０．０５質量％である。
【００１０】
本発明に用いるフェニレフリンは、０．０００１質量％〜１０．０質量％の割合で配合することができ、好ましくは０．００５質量％〜１．０質量％であり、さらに好ましくは０．０１質量％〜０．１質量％である。またフェニレフリンとしては配合形態は限定されないが、塩酸フェニレフリンが特に好ましい。
【００１１】
本発明は、発明の効果を損なわない質的および量的範囲で、必要に応じて他の薬効成分を配合することができる。
【００１２】
【発明の効果】
本発明により、涙液分泌減少に伴うドライアイ、目の疲れ、かすみ、かゆみ、さらには結膜充血、眼瞼炎、眼炎、コンタクトレンズ着用時の不快感の予防または改善するための点眼用組成物の提供が可能になった。
【００１３】
【実施例】
以下に試験例および実施例をあげ、本発明を具体的に説明する。
試験例１、比較例１〜２、対照例１
体重約２．５Ｋｇの雄性日本白色ウサギを１群５匹とした。ウサギの眼に０．４質量％塩酸オキシブプロカイン５０μｌを３分間隔で２回点眼し、その３分後に片眼に被験点眼サンプルを、他眼には生理食塩水を、それぞれ５０μｌ点眼した。被験点眼サンプルは、それぞれ、生理食塩水に溶解し、以下の濃度に調整した。点眼後、５分、１０分、１５分、３０分後に、シルマー試験紙（５ｍｍ×３５ｍｍの短冊状の濾紙）を下瞼に１分間挿入することにより涙液を採取した。涙液分泌量は、シルマー試験紙のぬれている長さを、ノギスを用いて測定し、それぞれその長さの合計値から涙液の量を測定した。
比較例１：０．１質量％塩酸フェニレフリンを含有する溶液
比較例２：０．０５質量％ＦＡＤ溶液を含有する溶液
試験例１：０．１質量％塩酸フェニレフリン溶液および０．０５質量％ＦＡＤ溶液を含有する溶液
結果
結果を表１に示した。
【００１４】
【表１】
2004217596.tif 000002
【００１５】
表１に示したごとく、比較例１の０．１質量％塩酸フェニレフリン溶液および比較例２の０．０５質量％ＦＡＤ溶液は生理食塩水と比較して、涙液分泌量に変化は見られなかったが、試験例１の０．１質量％塩酸フェニレフリン溶液および０．０５質量％ＦＡＤ溶液には涙液分泌量の有意な増加がみられた。以上の結果から、フェニレフリンとＦＡＤを配合した点眼用組成物は、ＦＡＤ単独あるいはフェニレフリン単独と比較して涙液分泌促進作用が増強されることが明らかになった。
実施例１
フェニレフリン塩酸塩０．１ｇ、フラビンアデニンジヌクレオチド二ナトリウム０．０５ｇを滅菌精製水９０ｍｌに溶解し、ホウ砂でｐＨを７．４に調製した後、滅菌精製水を加えて全量を１００ｍｌとし、点眼剤を調製した。
(57)【要約】【課題】電離放射線に遺伝子障害あるいは致死などの生物障害を防護する防護剤を提供する。【解決手段】シュードウリジンを有効成分として、電離放射線（高ＬＥＴ放射線を含む）による生物障害を防護する。【選択図】        図１
2004217561.tif 000002
【特許請求の範囲】
【請求項１】
シュードウリジンを有効成分として電離放射線による生物障害を防護することを特徴とする電離放射線防護剤。
【請求項２】
血液中濃度が０．１ｍＭ以上となるようにシュードウリジンが投与されるようにした、請求項１の電離放射線防護剤。
【請求項３】
血液中濃度が１．６ｍＭ以上となるようにシュードウリジンが投与されるようにした、請求項１の電離放射線防護剤。
【発明の詳細な説明】
【０００１】
【発明の属する技術分野】
この出願の発明は、Ｘ線やγ線、粒子線等の電離放射線による生物障害の防護剤に関するものである。
【０００２】
【従来の技術】
電離放射線に被曝した場合に遺伝子障害あるいは致死などの生物障害が現れることが知られており、このような生物障害作用を防護するための方法がこれまでにも様々な観点により検討されている。
【０００３】
例えば、具体的にも、電離放射線の生物障害作用の防護に関しては、これまでにも、鉛による防護や薬剤による防護方法が知られている。放射線の細胞障害はラジカル反応による間接作用が約７５％を占めると考えられていることから、これまでの放射線防護剤はラジカルスカベンジャーが主な防護剤であった。
【０００４】
【発明が解決しようとする課題】
しかしながら、現在までに多くのラジカルスカベンジャーが放射線障害防護剤として検討されているが、実用的薬剤とはなっておらず、安全性や有効性の面で問題があるとされている。また近年航空機や宇宙進出により直接作用が主体の放射線に対する防護が重要となってきたが、高ＬＥＴのような直接作用の強い放射線に対する防護剤は副作用の強いものが多く、人に直接適応でき生命に安全な方法はないに等しく、外部被曝や内部被曝を少なくするよう努力する以外に防護する方法がないのが実情であった。すなわち、人に対して直接適応することのできる安全な方策はなかった。
【０００５】
そこで、この出願の発明は、上記の課題を解決するものとして、電離放射線による生物障害の新しい防護剤を提供することを課題としている。
【０００６】
【課題を解決するための手段】
上記課題を解決するために、この出願の発明の電離放射線防護剤においては、シュードウリジンを有効成分とする防護剤が提供され、これを経口、注射、液状吸入、食品への混合等により生体へ投与することにより、電離放射線による生物障害を防護する。
【０００７】
人に対しての血液中濃度については、好ましくは０．１ｍＭ以上、より好ましくは１．６ｍＭ以上となるようにシュードウリジンを、経口、注射、液状吸入、食品に混合等により人体へ投与することにより、より効果的に電離放射線による障害を防護する。
【０００８】
【発明の実施の形態】
この出願の発明は上記のとおりの特徴をもつものであるが、その実施の形態としては、まず、前記の有効成分であるシュードウリジンは次式で示されるものである。
【０００９】
【化１】
2004217561.tif 000003
【００１０】
この有効成分のシュードウリジンは、水や生理食塩水等により希釈し、防護剤として生体へ投与することができる。
【００１１】
さらに糖分や栄養分を加えて防護剤を構成することもできる。
【００１２】
実際の使用に関しては、経口投与、静脈注射、液状吸入、食品に混合する方法等が可能であり、対象者の体質や電離放射線による被曝環境、そして防護が必要とされる時間等に応じてその使用量を調整することができる。もちろん、生物の対象はヒトであってもよいが、これに限られることなしに、非ヒト動物、実験動物に対しても有効に適用される。
【００１３】
以下に実施例を示し、さらに詳しくこの出願の発明について説明する。以下の例においてはシュードウリジンをヒト末梢血液にＸ線、炭素イオン線を照射し、遺伝子障害についての染色体異常誘発頻度を測定することによりシュードウリジンの防護作用を確認している。もちろん、以下の例によってこの発明が限定されることはない。
【００１４】
【実施例】
生理食塩水に溶解したシュードウリジンをヒト末梢血液に各濃度で添加し、Ｘ線（２０ｍＡ、０．５ｍｍＣｕ＋０．５ｍｍＡｌフィルター、焦点・プローブ間距離５５ｃｍ）、またはＬＥＴ５０ｋｅＶ／μｍを４Ｇｙ照射した。シュードウリジンはＳｉｇｍａ−Ａｌｄｒｉｃｈ  Ｃｏ．の市販品β−Ｐｓｅｕｄｏｕｒｉｄｉｎｅ（Ｐｒｏｄｕｃｔ  Ｎｕｍｂｅｒ：Ｐ１６５８）を使用した。Ｘ線または炭素イオン線で照射した群の障害の度合いを、染色体異常（Ｄｉｃｅｎｔｒｉｃ；二動原体染色体）出現頻度を測定することにより求め、シュードウリジンの電離放射線の生物障害に対する防護作用を調べた。結果は図１、図２に示すように細胞１個あたりの平均染色体異常出現頻度を調べると、シュードウリジン濃度の増加に伴い放射線誘発染色体異常が減少することが確認された。図において、縦軸は１細胞中の二動原体染色体異常数、横軸は血液中のシュードウリジン濃度ｍＭを示す。
【００１５】
この結果から、シュードウリジンの人に対する投与量は血液中濃度０．１ｍＭ（血液１リットル中にシュードウリジン２４．４２ｍｇ）以上となるのが好ましく、１．６ｍＭ以上であればさらに好ましいといえる。
【００１６】
以上の結果により、シュードウリジンはＸ線または炭素イオン線による障害を抑制することが確認された。
【００１７】
また、この結果から、シュードウリジンを有効成分とする電離放射線防護剤は、ヒトに対してだけでなく、ヒト以外の各種の哺乳動物にも有効に適用できることがわかる。
【００１８】
【発明の効果】
この出願の発明により、電離放射線（高ＬＥＴ放射線を含む）による生物障害を防護することが可能となる。
【図面の簡単な説明】
【図１】ヒト末梢血液にシュードウリジンを様々な濃度で添加したときのＸ線４Ｇｙによる遺伝子障害が減少することを例示した図である。
【図２】ヒト末梢血液にシュードウリジンを様々な濃度で添加したときの炭素イオン線４Ｇｙによる遺伝子障害が減少することを例示した図である。
【図１】
2004217561.tif 000004
【図２】
2004217561.tif 000005
(57)【要約】【課題】溶接作業後の電解研磨による酸化スケールの除去方法において、電解液をふくませた不織布を電極に用いた場合に、ワークの凹凸部の酸化スケールが不織布と接触しにくいため綺麗に除去できないという問題を解決する。【解決手段】不織布に代えて電解液を含んだ筆状又は刷毛状の物体を電極に使用することにより、ワークの表面に凹凸があっても筆状又は刷毛状の物体が入り込んで酸化スケールが電解液に接触し、酸化スケールを残さずに除去することができる。【選択図】    なし【特許請求の範囲】
【請求項１】
溶接作業後の電解研磨による酸化スケール除去作業において、電解液をふくんだ筆状又は刷毛状の電極を使用することを特徴とする電解研磨による酸化スケールの除去方法。
【発明の詳細な説明】
【０００１】
【発明の属する技術分野】
本発明は溶接作業において発生する酸化スケールを、電解研磨により除去する方法に関する。
【０００２】
【従来の技術】
電解研磨で溶接時に発生した酸化スケール等を除去するには、ワークを電解液の中に浸漬して通電するか、ワークと電極の間に電解液をふくませた主として不織布をはさんで通電する必要がある。
【０００３】
上記方法のうち前者の浸漬電解法としては特開昭６３−２４０９８号公報に開示されているものがあるが、これらの浸漬電解法は大量の電解液を必要とするといった問題があった。
【０００４】
これに対して後者のワークと電極の間に電解液を含ませた不織布等を介在させる方法は、電解液の使用量が少ないという利点がある。
【０００５】
この電解液を含ませるための滞水性、保水性材料としては、特開昭５８−１１７９００号公報、特開昭６０−２７００号公報、特開昭６３−２４０９８号公報、特開昭６４−３９４００号公報、特開平１−１１１９００号公報、特開平２−２７０９９９号公報、特開平２−３１０３９９公報に開示されるように、フェルト等の不織布をはじめとして各種織布等の繊維布や袋状物が用いられている。
【０００６】
【発明が解決しようとする課題】
しかし、上記した方法はいずれもワークに接触する表面が布状となっているので、ワークの凹凸部の酸化スケールが電極をくるんだ不織布等と接触しにくいため、酸化スケールを綺麗に除去できないといった不都合がある。
【０００７】
そこで本発明の目的は、ワークと電極の間にある不織布等に代えて酸化スケール除去作業のしやすい筆状又は刷毛状の形態にして提供することにある。
【０００８】
【課題を解決するための手段】
上記目的を達成するために請求項１の発明は、電解研磨作業において陽極につながれたワークと陰極の間に電解液をふくませた不織布を使用する代わりに電解液をふくませた筆状又は刷毛状の物体を陰極とすることを特徴とするものである。もちろん交流電解の場合、陰極と陽極の区別はない。
【０００９】
電解研磨による酸化スケールの除去作業において、従来の不織布の電極に代えて筆状又は刷毛状の電極を用いれば、電解液を含んだ筆又は刷毛が、その柔軟性によりワーク表面の凹凸部に入り込んでその部分の酸化スケールが電解液に接触するので、酸化スケールを残さずに除去することができる。
【００１０】
【発明の実施の形態】
本発明の筆状又は刷毛状の物体としては、長繊維状物の多数本を揃えて丸束や平束等の束状にして一方端部を縛る等の方法により固定したものをいい、全体として可撓性や柔軟性を有し、かつ滞水性、保水性を有するもので、一般的に筆記具の筆や塗装具の刷毛といわれるものと相似形で同作用を期待されるものである。
【００１１】
但し、各長繊維が枝状となっていたり長繊維の一部又は全体が他の繊維と連なって網状となったりしていても、全体として筆や刷毛と相似かつ同作用を有するものもここでいう筆状又は刷毛状の物体に含まれる。
【００１２】
筆状又は刷毛状の物体を形成する繊維の材料や大きさは特に限定されず、束状となった時に柔軟性や滞水性を保持するものであればよい。
【００１３】
筆状又は刷毛状の物体の大きさについても特に限定されず、滞水性、保水性を損なわない範囲で使用されるワークの大きさや形状に合わせて適宜決定することができる。
【００１４】
【発明の効果】
以上のように、本発明によれば、ワークの凸凹部でも電解液を含ませた筆や刷毛は簡単に接触させることができるので、今まで除去しにくかった酸化スケールを簡単に除去する事ができた。
(57)【要約】【課題】豆に代表される種皮つき穀物の皮の剥離、ひび割れ、はじけなどの有無を検査して不良品を取り除ける選別装置を提供する。【解決手段】シュータ３から投下される豆Ａに加熱器４から熱を加え、加熱直後の豆Ａの温度分布を赤外線監視カメラ５の画像を用いて調べる。豆に皮の剥離、ひび割れ、はじけなどが生じているとその部分の温度が他部よりも高くなるのでそれの有無で不良判別を行う。また、不良判定が下された豆は、エジェクタ６で不良品回収部７に向けて吹き飛ばし、良品群の中から取り除く。【選択図】　図１
2004113904.tif 000002
【特許請求の範囲】
【請求項１】
選別対象の種皮つき穀物を投下させるシュータと、落下途中の種皮つき穀物に熱を加える加熱装置と、加熱した穀物の表面温度分布を計測する赤外線監視カメラと、温度分布の計測結果に基いて良否判定を行う判定部と、不良判定がなされた種皮つき穀物を正規の落下経路から取り除く抽出装置とを備えて成る種皮つき穀物の選別装置。
【請求項２】
前記抽出装置がエジェクタであり、このエジェクタが不良判定をうけた穀物を不良品回収部に向けて吹き飛ばすように構成された請求項１記載の種皮つき穀物の選別装置。
【発明の詳細な説明】
【０００１】
【発明の属する技術分野】
この発明は、豆に代表される種皮つき穀物の不良選別を行う選別装置に関する。
【０００２】
【従来の技術】
米や小豆などの色彩選別や異物混入の検査を、画像や赤外線透過光を使用して行う装置は既に実用化されている。その装置は、ホッパから供給される米などをシュータに通して落下させ、落下途中の対象物をＣＣＤカメラなどで監視する。そして、不良判別がなされた対象物をエジェクタで不良品回収部に向けて吹き飛ばす。
【０００３】
【発明が解決しようとする課題】
従来の装置は、色彩の悪い米や豆などの抽出、混入した異物の抽出は出来るが、検出の原理上、例えば、豆の皮の剥離、割れなどを検出して不良品を選別することは出来なかった。
【０００４】
原型のまま食卓に供する煮豆などは、煮つける際に皮が剥離していたり、ひび割れが生じていると原型を止めなくなり、商品価値を失う。従って、畑で収穫した豆は、袋詰めする際に不良検査を行って不良品を取り除くことが要求される。
【０００５】
ところが、上述したように、従来の選別機では皮の剥離やひび割れの検査は行えず、そのため、農協などではコンベヤに沿って人が並び、人海戦術による目視検査を行っていた。そのため、人件費が嵩み、また、人手が不足するなどの問題が生じていた。
【０００６】
この発明は、上記の問題を無くすために穀物の皮の剥離、ひび割れなどの機械検査を可能ならしめることを課題としている。
【０００７】
【課題を解決するための手段】
上記の課題を解決するため、この発明においては、選別対象の種皮つき穀物を投下させるシュータと、落下途中の種皮つき穀物に熱を加える加熱装置と、加熱した穀物の温度分布を計測する赤外線監視カメラと、温度分布の計測結果に基いて良否判定を行う判定部と、不良判定がなされた種皮つき穀物を正規の落下経路から取り除く抽出装置とを備えさせて選別装置を構成したのである。
【０００８】
抽出装置は、不良判定をうけた穀物を不良品回収部に向けて吹き飛ばすエジェクタが好ましい。
【０００９】
【作用】
この発明の装置は、選別対象の豆などに事前に熱を加える。種皮が剥離したり、ひび割れが生じたりして、種子と種皮との間に空気層が出来ていると、加熱した選別対象の表面温度に大きな熱分布差が生じる。その熱分布差の発生状況を赤外線監視カメラの画像で確認し、熱分布差が所定の度合いを越えたものを不良品と判定して取り除く。
【００１０】
【発明の実施の形態】
以下、この発明の実施形態を、添付図に基づき、豆の選別を例に挙げて行う。図の１は、未選別の豆Ａを投入したホッパである。このホッパ１から直進フィーダ２の搬送面上に豆Ａが流され、直進フィーダ２により送りをかけた豆Ａが一粒ずつシュータ３に流入してそのシュータ３の先端から空中に放出される。その豆Ａは落下途中に加熱器（パイプヒータ）４の内側を通り、通過中に加熱される。そして、加熱直後の豆Ａが落下路の途中に設けた熱監視領域を通り、そこで赤外線監視カメラ（サーモグラフィー）５による撮像がなされる。
【００１１】
この赤外線監視カメラ５による画像が判定部（図示せず）に送られ、ここで熱分布の解析がなされる。得られる画像は、温度の高い部分は赤みが強く、温度の低い部分は紫色となる。
【００１２】
画像の色は、相対温度が高くなるにつれて紫から青、緑、黄緑、黄、橙、朱、赤、ピンクに変化する。従って、得られた画像の中に温度が高い部分が含まれているか否かは即座に分かる。種皮が剥がれたり、ひび割れたりしていると種子との間に空気層が出来てその部分の表面温度が正常な部分に比べて高くなる。この温度分布の差を見てその差が所定値（これは対象物によって変わる）を越えたものを不良品と判定する。
【００１３】
判定部からの不良判定信号は、下方に待機したエジェクタ６に送られ、このエジェクタ６が正面に到達した不良品を不良品回収部７に向けてエアーで吹き飛ばす。一方、異常の無い豆は良品回収部８に落下して回収される。
【００１４】
なお、エジェクタ６による不良品の吹き飛ばしは、豆の供給速度が早すぎると続いて落下してくる良品の豆も一緒に吹き飛ばす虞れがあるので、フィーダ２による送り速度を適切に調整して誤選別を防止する。
【００１５】
赤外線監視カメラ５は、監視の死角をなくすために２台を対向させて設けている。このカメラは、２台以上設けて三方、或いは四方から対象物を撮像してもよい。
【００１６】
以下に、実施例を挙げる。
図１の装置を用いて金時豆の選別実験を行った。加熱器４を通過した金時豆を赤外線監視カメラ（サーモグラフィー）５で撮像し、得られた画像の温度分布を調べたところ、異常の無い豆は各部の温度が３３度以下であった。一方、皮が部分的に剥がれ落ちている豆、皮にひび割れが生じている豆、皮が大きくはじけている豆、皮の一部が種子から浮き上がって内部に空気層が生じている豆はいずれも画像の中に温度が３５度を越える部分がみられ、温度分布を捕えた画像から異常がある不良品であることを確認できた。
【００１７】
その異常のある豆は、エジェクタ６により吹き飛ばされて良品群から取り除かれ、精度の良い機械選別が可能であった。
【００１８】
なお、ここでの説明は、豆の選別を例に挙げたが、この発明の装置は、豆以外の種皮つき穀物の選別にも使用できる。
【００１９】
【発明の効果】
以上述べたように、この発明の装置は、シュータから投下された豆などの種皮つき穀物に熱を与え、赤外線監視カメラで捕らえた画像の温度分布に設定値を超える差が生じたか否かで良否判定を行うので、ＣＣＤカメラによる画像や赤外線透過光では検査が行えなかった種皮の剥離、ひび割れ、はじけなどを機械で検査して不良品を取り除くことが可能になり、選別の効率化、選別に要していた人員の削減が図れる。
【図面の簡単な説明】
【図１】この発明の選別装置の実施形態を示す概略構成図
【符号の説明】
１　ホッパ
２　直進フィーダ
３　シュータ
４　加熱器
５　赤外線監視カメラ
６　エジェクタ
７　不良品回収部
８　良品回収部
【図１】
2004113904.tif 000003
(57)【要約】【課題】被粉砕物によって刃先に無理な力を与えることなく、固定刃と回転刃の隙間の広がりを極力さけ、使用寿命の長い粉砕機を提供すること。【解決手段】円筒形容器の底面板上に、回転縦軸により、ロータ板を設置し、ロータ板の周縁において所要間隔を存して揺動又は回転可能なハンマー刃を取付けたこと。【選択図】　　図１
2004113969.tif 000002
【特許請求の範囲】
【請求項１】
円筒形容器の底面板上に、回転縦軸により、ロータ板を設置し、ロータ板の周縁において所要間隔を存して揺動又は回転可能なハンマー刃を取付けた粉砕機。
【請求項２】
ロータ板の上面に、ロータ板上に落ちた被粉砕物を外側に導く湾曲板を放射状に取付けた請求項１記載の粉砕機。
【請求項３】
円筒形容器の内周に、外側に集積された被粉砕物をハンマー刃部位に押し込む傾斜誘導プレートを設けた請求項１記載の粉砕機。
【発明の詳細な説明】
【０００１】
【発明の属する技術分野】
本発明は軟質系の破棄物（ごみや木片、プラスチック屑、皮革）類を細かく粉砕する粉砕機に関するものである。
【０００２】
【従来の技術】
従来のごみ、プラスチック屑類の粉砕機は、別紙カタログ（株式会社丸山産業、ひまわり）に示すように固定刃と回転刃を縦形に並べて、被粉砕物を上から、刃に押付けるようにして両刃の隙間で切断する構造を採用していた。このような構造では固定刃と回転刃の隙間を狭く保たなければならないため、使用を繰返すと刃は摩耗し、隙間が広がり、切断性能が低下する。
【０００３】
切れ味が劣化すれば、刃を交換する必要があり、維持費が嵩む欠点がある。
【０００４】
【発明が解決しようとする課題】
本発明の課題は、前記従来の粉砕機の構成を改め、被粉砕物によって刃先に無理な力を与えることなく固定刃と回転刃の隙間の広がりを極力さけ、耐用期間の長い粉砕機を得ることにある。
【０００５】
【課題を解決するための手段】
本発明の手段は、
円筒容器の底に回転縦軸で、ロータ板を設置し、ロータ板の周縁において所要間隔置にロータ板の回転による揺動或いは回転可能なハンマー刃を枢支したことにある。
【０００６】
【発明の実施の形態】
図面を参照して本発明に係る粉砕機の具体的構成を説明する。
【０００７】
油圧ショベルに取付け可能な本体１に、円筒形内筒２を固着する。内筒２の中心縦軸３０に所要間隔を存して３枚のロータ板３を回転可能に装着してある。３枚のロータ板３の間にハンマー刃４をロータ板３を貫通して取付けた枢軸５によって支持する。このハンマー刃４は被破砕物に接すると枢軸５を支点に回転させられて逃げる。３１は中心縦軸３０の周りの軸受機構、３２は油圧モータ１０に連絡するプーリ１３にＶベルト１１を介して中心縦軸３０のロータ用プーリ１４に連通する。７は本体下板で複数の穴３３を設け、内筒２にはハンマー刃４が回転している部分に対向するように円周上に複数の穴３４を開設してある。更に内筒２に固定刃８、突起１２がある。
【０００８】
最上位のロータ板３の上面にロータ板上に落ちた被粉砕物を外方に導く湾曲板６を放射状に設ける。又内筒２の内面に集積された被粉砕物をハンマー刃４の位置に導く傾斜誘導プレート９がある。１５はカバーを示す。
【０００９】
【発明の作動】
回転している粉砕機に大きな被粉砕物を投入すると、湾曲板６により一部は粉砕されながら外方に飛ばされ内筒２の内側へ押付けられ、傾斜誘導プレート９により更に下方に移動する。移動した被粉砕物はハンマー刃４にあたって破砕し、穴３４，３３を通過し、空間３５を経て下方へ排出される。尚粉砕を一層効率的に行うために内筒に固定刃８及び突起１２を設けてある。ハンマー刃は必ずしも回転しなくて良く単に揺動するだけでも良い。又ハンマー刃は通常は枢軸５を支点に回転しておらず、ロータ板と共に回転しているのみである。
【００１０】
【発明の効果】
本発明によれば維持費が安く長期間切断性能を高く保つことができ、粉砕機として優れている。又湾曲板６の存在によってロータ板上に落ちた被破砕物を外側に導き更に傾斜誘導プレート９により下方に押し込まれ、まとめられて破砕作業は促進し、動きに無理がない等の効果がある。
【図面の簡単な説明】
【図１】縦断側面図。
【図２】横断平面図。
【図３】平面図。
【図４】本体の縦断正面図。
【符号の説明】
１　　本体
２　　内筒
３　　ロータ板
４　　ハンマー刃
５　　枢軸
６　　湾曲板
８　　固定刃
９　　傾斜誘導プレート
【図１】
2004113969.tif 000003
【図２】
2004113969.tif 000004
【図３】
2004113969.tif 000005
【図４】
2004113969.tif 000006
(57)【要約】【課題】新規な健康茶を提供する。【解決手段】初夏から初秋に採取した鳳仙花の全草を、水洗後室内又は屋外に３日〜７日程度日干し乾燥させた後、必要に応じて強制乾燥し、前記乾燥物を３ｍｍ以下に粉砕し１００メッシュの篩によって微粉末を除去した後、所定の焙煎機で１２０〜１３５℃で１５〜２０分間の焙煎処理を施して鳳仙花茶を製出し、通常手段で喫飲や、食品への添加によって鳳仙花に含有される有効成分を摂取できる。【選択図】　図１
2004113048.tif 000002
【特許請求の範囲】
【請求項１】
初夏から初秋に採取した鳳仙花の全草を、水洗後室内又は屋外に３日〜７日程度日干し乾燥させた後、必要に応じて強制乾燥し、前記乾燥物を３ｍｍ以下に粉砕し１００メッシュの篩によって微粉末を除去した後、所定の焙煎機で１２０〜１３５℃で１５〜２０分間の焙煎処理を施してなる鳳仙花茶の製造方法。
【請求項２】
初夏から初秋に採取した鳳仙花の全草を、乾燥後に所定粉砕及び焙煎処理を施したもので、粉砕粒度が繊維方向３ｍｍ以下で且つメッシュ１００以下を除去してなることを特徴とする鳳仙花茶。
【発明の詳細な説明】
【０００１】
【産業上の利用分野】
本発明は鳳仙花茶及びその製造方法に関するものである。
【０００２】
【従来の技術及び発明が解決しようとする課題】
鳳仙花は、従前より漢方薬として使用されている。例えば花部分は煎用すると月経痛や冷え性の人に効果があると言われており、また葉や茎は薬湯とし冷え性の人に用いるとされている。
【０００３】
またホウセンカエキスが抗酸化作用と美白作用があることが見いだされ、化粧品としての販売が予定されている（日刊工業新聞平成１４年３月２４日）。
【０００４】
そこで本発明は、薬効成分を有する鳳仙花の体内への取り込みが容易になるようにお茶とすることを提案したものである。
【０００５】
【課題を解決する手段】
本発明に係る鳳仙花茶は、初夏から初秋に採取した鳳仙花の全草を、水洗後室内又は屋外に３日〜７日程度日干し乾燥させた後、必要に応じて強制乾燥し、前記乾燥物を３ｍｍ以下に粉砕し１００メッシュの篩によって微粉末を除去した後、所定の焙煎機で１２０〜１３５℃で１５〜２０分間の焙煎処理を施して製出してなるものである。
【０００６】
従って通常のお茶と同様に入れたり、薬湯のように煎じたりして飲用に供したり、調理副資材として使用したり、加工食料品に混入したりして、鳳仙花が有する薬効成分を摂取することができる。
【０００７】
【実施の形態】
次に本発明の実施の形態について説明する。実施形態はその製造手順に添って説明する。
【０００８】
使用する鳳仙花は、周知の通りツリフネソウ科の一年草で、初夏から初秋に採取した鳳仙花を刈り取り、その全草（種子を使用しても良いし、除去しても良い）を水洗後自然乾燥させる。自然乾燥は、室内又は屋外に３日〜７日程度放置し、茎部分を手で折り曲げるとポキッと折れる程度まで乾燥させる。また乾燥し難い季節では、機械による強制乾燥を行う。
【０００９】
前記の乾燥物を網目３ｍｍの網板を使用して３ｍｍ以下（繊維方向：繊維方向以外は自然に分離し３ｍｍとなる）に粉砕し、更に１００メッシュの篩によって微粉末を除去する。
【００１０】
前記の粉末体を、所定の焙煎機（遠赤外線焙煎機）を使用し、１２０〜１３５℃で１５〜２０分間の焙煎処理を施し、鳳仙花茶を製出するものである。
【００１１】
前記の鳳仙花茶は、更に不織布のパックに封入し、通常のお茶と同様に入れて喫飲に供したり、煮出したりして飲用に供するほか、煎じ液や、茶出し液を、調理に際して少量添加したり、各種加工食料品の製造途中に添加しても良い。
【００１２】
特に鳳仙花は、茎葉には、ナフトキノン類を主成分として、ケンフェロールとビタミンＤ２の前駆体のエルゴステールスが含まれており、更にクエルセチンが含まれ、また花にはアントシアニン、シアニジンが、種子には、パリナシン脂肪酸、エルゴステロール等を含んでいる。
【００１３】
即ち前記の含有成分は、前記の経生化学的還元作用、殺菌作用、経皮吸収促進作用、酵素的蛋白分解作用、脱塩作用、コレステロール溶解作用、平滑筋収縮作用、活性酸素除去機能を備え、薬効としては、ぎっくり腰、椎間板ヘルニア、関節リュウマチ、座骨神経痛、痛風などに対して治癒効果を有する。
【００１４】
従って鳳仙花茶を茶として飲用したり、抽出成分を食品に混入することで前記有効成分を容易に摂取することができる。
【００１５】
特に当該溶液（煎じ液、茶出し液）は、人の血液のｐＨ（７．４前後）に近いｐＨ（７．２）値であり、体内へ摂取されやすく、加工食品に混入しても味の変化を与えない利点がある。更に油揚げ調理品では、油の酸化防止と殺菌作用で賞味期間が長くなる利点もある。
【００１６】
【発明の効果】
以上のとおり本発明は、鳳仙花の全草を乾燥後３ｍｍ以下に粉砕し、微粉末を除去した後、所定の焙煎処理を施したて製出してなる鳳仙花茶で、通常の緑茶同様に使用することで、鳳仙花に含有される有効成分を摂取することができたものである。
【図面の簡単な説明】
【図１】本発明の製造工程の説明図。
【図１】
2004113048.tif 000003
(57)【要約】【課題】コストダウンと構造の簡素化を図る。【解決手段】キャスター式の前輪と左右の駆動後輪２との間にモーア３を配置し、左右の駆動後輪２の後方部にエンジン４を配置し、エンジン４で駆動される油圧ポンプ５ａと油圧ポンプ５ａからの圧油で駆動される油圧モータ５ｂとからなる前後進切り換え自在な静油圧式無段変速装置５を左右の駆動後輪２のそれぞれに対応して設け、エンジン４にクラッチ８を介して連動するモーア３への動力取り出し軸７を設け、クラッチ８として、エンジン４の出力軸４ａを入力軸としかつ動力取り出し軸７を出力軸とするベルトテンションクラッチを設ける。【選択図】　　　　図２
2004113133.tif 000002
【特許請求の範囲】
【請求項１】
キャスター式の前輪と左右の駆動後輪との間にモーアを配置し、前記左右の駆動後輪の後方部にエンジンを配置し、そのエンジンで駆動される油圧ポンプとこの油圧ポンプからの圧油で駆動される油圧モータとからなる前後進切り換え自在な静油圧式無段変速装置を左右の駆動後輪のそれぞれに対応して設け、前記エンジンにクラッチを介して連動する前記モーアへの動力取り出し軸を設けてある芝刈り機であって、前記クラッチとして、エンジンの出力軸を入力軸としかつ前記動力取り出し軸を出力軸とするベルトテンションクラッチを設けてある芝刈り機。
【発明の詳細な説明】
【０００１】
【発明の属する技術分野】
本発明は、キャスター式の前輪と左右の駆動後輪との間にモーアを配置し、前記左右の駆動後輪の後方部にエンジンを配置し、そのエンジンで駆動される油圧ポンプとこの油圧ポンプからの圧油で駆動される油圧モータとからなる前後進切り換え自在な静油圧式無段変速装置を左右の駆動後輪のそれぞれに対応して設け、前記エンジンにクラッチを介して連動する前記モーアへの動力取り出し軸を設けてある芝刈り機に関する。
【０００２】
【従来の技術】
従来のこの種の芝刈り機では、前記クラッチとして油圧クラッチを設けていた（例えば、特許文献１参照。）。
【０００３】
【特許文献１】
特開２０００ー２７０６５２号公報
【０００４】
【発明が解決しようとする課題】
しかし、上記従来の技術によるときは、クラッチとして高価で構造複雑な油圧クラッチを設けていたから、コストアップ及び構造の複雑化を招来していた。
【０００５】
本発明の目的は、コストダウンと構造の簡素化を図る点にある。
【０００６】
【課題を解決するための手段】
請求項１に係る本発明による芝刈り機の特徴・作用・効果は次の通りである。
【０００７】
〔特徴〕
キャスター式の前輪と左右の駆動後輪との間にモーアを配置し、前記左右の駆動後輪の後方部にエンジンを配置し、そのエンジンで駆動される油圧ポンプとこの油圧ポンプからの圧油で駆動される油圧モータとからなる前後進切り換え自在な静油圧式無段変速装置を左右の駆動後輪のそれぞれに対応して設け、前記エンジンにクラッチを介して連動する前記モーアへの動力取り出し軸を設けてある芝刈り機であって、前記クラッチとして、エンジンの出力軸を入力軸としかつ前記動力取り出し軸を出力軸とするベルトテンションクラッチを設けてある点にある。
【０００８】
〔作用〕
クラッチとして、構造簡単・安価なベルトテンションクラッチを設けてあるから、構造簡単・安価に実施することができる。
【０００９】
〔効果〕
従って、構造の簡素化及びコストダウンを達成できるようになった。
【００１０】
【発明の実施の形態】
芝刈り機は、図１、図２に示すように、キャスター式の左右の前輪１と左右の駆動後輪２との間にモーア３を配置し、前記左右の駆動後輪２の後方部にエンジン４を配置し、このエンジン４の出力軸４ａで駆動される油圧ポンプ５ａとこの油圧ポンプ５ａからの圧油で駆動される油圧モータ５ｂとをからなる前後進切り換え自在な静油圧式無段変速装置５を前記左右の駆動後輪２のそれぞれに対応して設け、前記モーア３の入力軸３ａに自在継ぎ手付きの伝動軸６を介して動力を伝達する動力取り出し軸７と前記出力軸４ａとの間に出力軸４ａの出力を動力取り出し軸７に伝達する状態と伝達しない状態とに切り換え操作自在なクラッチ８を設けて構成されている。
９は、前記モーア３を機体フレームに昇降自在に連結する昇降リンクである。
【００１１】
そして、芝刈り機は、左右の駆動後輪２を前進側に等速駆動することにより直進前進走行し、左右の駆動後輪２を後進側に等速駆動することにより直進後進走行し、一方の駆動後輪２を停止した状態で他方の駆動後輪２を前進駆動又は後進駆動することにより、一方の駆動後輪２を中心とした前進又は後進ピボット旋回を行い、一方の駆動後輪２を前進駆動しかつ他方の駆動後輪２を後進駆動することによりスピン旋回を行うようになっている。
【００１２】
前記クラッチ８は、前記出力軸４ａを入力軸とし動力取り出し軸７を出力軸とするベルトテンションクラッチである。具体的には、出力軸４ａに入力プーリ８ａを一体回転状態に装着し、動力取り出し軸７に出力プーリ８ｂを一体回転状態に装着し、前記入力プーリ８ａと出力プーリ８ｂとにわたって伝動ベルト８ｃを巻き掛け、この伝動ベルト８ｃを緊張伝動状態と弛緩非伝動状態とに切り換える揺動式のテンションアーム８ｄを設けて構成されている。
【００１３】
また、前記エンジン４とその前方に配置した運転座席１１との間には、図３にも示すように、正面視において門型の保護フレーム１２が設置されており、この保護フレーム１２の上半部分１２ａは、左右向き軸芯ｘ周りでの揺動により、図１及び図４の（イ）に示すように起立した作用姿勢と、図１及び図４の（ロ）に示すようにエンジンボンネット１３の揺動開放を許容する状態で後方に倒伏した格納姿勢と、図４の（ハ）に示すようにそれよりも下方まで倒伏した納車姿勢とに切り換え自在であって、ピン１４の差込により前記作用姿勢と格納姿勢に固定保持されるものである。
【図面の簡単な説明】
【図１】側面図
【図２】伝動系統図
【図３】要部の正面図
【図４】保護フレームの各姿勢を示す要部の側面図
【符号の説明】
１　　　　　前輪
２　　　　　駆動後輪
３　　　　　モーア
４　　　　　エンジン
５ａ　　　　油圧ポンプ
５ｂ　　　　油圧モータ
５　　　　　静油圧式無段変速装置
８　　　　　クラッチ
７　　　　　動力取り出し軸
【図１】
2004113133.tif 000003
【図２】
2004113133.tif 000004
【図３】
2004113133.tif 000005
【図４】
2004113133.tif 000006
(57)【要約】【課題】踵ひもがあると便利だが使いたくない時踵ひもを踏んでわずらわしい。外出先での急な自動車の運転や、バイク等の後部座席へ同乗したい様な時、脱落防止用踵ひもがあると便利。【解決手段】普段はごく普通のサンダルだが踵ひもを使いたい時、サンダル後部踵部分の上蓋４を上げ又は、取りはずし踵ひも１を引出し、踵部分の上蓋４を元に戻せば完了。【選択図】図３2004113812.tif 000003
2004113812.tif 000002
【特許請求の範囲】
【請求項１】
収納された踵ひもを引出し、踵に装着する。
【請求項２】
脱着可能な後部踵部分の上蓋を取りはずし、上蓋を交換することによって上蓋の色彩を楽しむ。
【請求項３】
踵ひもの踵部分補助ひもとして、サンダルの底の部分に内臓し、必要に応じ、引出し使用する。
【発明の詳細な説明】
【発明の詳細な説明】
【技術分野】
【０００１】従来のサンダルの踵ひもは常に装着状態にあり未使用時、踵ひもを踏んでわずらわしい。よって踵ひもを収納することにより、未使用時のわずらわしさから解放される。
【背景技術】
【０００２】従来の踵ひも付サンダルは常に装着状態にあった。
【発明を実施するための最良の形態】
【０００３】本発明は普段普通のサンダルとして使用するが外出先での急な自動車の運転やバイク等の後部座席への同乗に収納された踵ひもを引出し装着する。
【発明の効果】
【０００４】この様に従来の普通のサンダルとして使用すれば未使用時には踵ひもを踏むわずらわしさから解放され、使用時には本来の脱落防止に役立つ。
【図面の簡単な説明】
【図１】踵ひも着用時のイメージ図である。
【図２】平面図及び側面図である。
【図３】右足用サンダルの収納及び装着方法の断面図である。
【図４】踵ひもを伸した状態の図である。
【図５】踵ひもの高さ調整用金具を収納する為の切込みである。
【図６】踵部分の脱着方法の拡大図である。
【図７】踵ひも１の踵部分補助ひもの引出し及び収納の図である。
【図８】踵ひも１の踵部分補助ひもをサンダル底部に配置した図である。
【符号の説明】
　１　踵ひも。
　２　踵ひもの補助用ひも。
　３　踵ひもの高さ調整用金具。
　４　サンダル後部脱着用上蓋。
　５　サンダル後部上蓋のはずれ止め金具（１）。
　６　サンダル後部上蓋のはずれ止め金具（２）。
　７　サンダル後部上蓋とサンダル後部本体との相互開き止め（凸）。
　８　サンダル後部上蓋とサンダル後部本体との相互開き止め（凹）。
　９　未使用時、踵ひもを収納する為の切込み。
１０　踵ひもの長さ調整用伸縮ゴム。
１１　踵ひもの脱着用フック。
１２　踵ひも本体１の補助ひもの長さ調整用ピン。
１３　踵ひも本体１の補助ひもの長さ調整用ピン穴。
１４　踵ひも本体１を踵ひもの踵部分用の補助ひもとを留める部分。
１５　踵ひも本体１の踵部分用補助ひも。
【図１】
2004113812.tif 000004
【図２】
2004113812.tif 000005
【図３】
2004113812.tif 000006
【図４】
2004113812.tif 000007
【図５】
2004113812.tif 000008
【図６】
2004113812.tif 000009
【図７】
2004113812.tif 000010
【図８】
2004113812.tif 000011